(57)【要約】【解決手段】第１のハンドル（２）、第２のハンドル（４）、第１の作用部（１）、第２の作用部（３）、及び、作用部接続機構（１００）を備える手工具。第１のハンドル（２）は第１の作用部（１）に接続固定され、第２のハンドル（４）は第２の作用部（３）に回動可能に接続され、第２の作用部（３）は、作用部接続機構（１００）を介して第１の作用部（１）に接続され、第２の作用部（３）が第１の位置と第２の位置とを有し、作用部接続機構（１００）は、第２のハンドル（４）が第１のハンドル（２）から離れた位置から第１のハンドル（２）に近づくように移動されるときに第２の作用部（３）を第１の位置から第２の位置へ移動させる。第１の位置は、第２の作用部（３）が第１の作用部（１）から離れて配置される位置であり、第２の作用部（３）が第２の位置にあるときに第２の作用部（３）が第１の作用部（１）に対して回転されて並進される。手工具は、より大きな締め付け力を与えて、労力を更に省くのに役立つ。【選択図】図５
2018514402.tif 000002
【特許請求の範囲】
【請求項１】
第１のハンドル、及び、前記第１のハンドルに接続固定される第１の作用部と、
第２のハンドル、及び、前記第２のハンドルに回動可能に接続される第２の作用部であって、第１の位置及び第２の位置を有する第２の作用部と、
作用部接続機構であって、該作用部接続機構によって前記第２の作用部が前記第１の作用部に接続され、前記作用部接続機構は、前記第２のハンドルが前記第１のハンドルから離れた位置から前記第１のハンドルに近づくように移動されるときに前記作用部接続機構が前記第２の作用部を前記第１の位置から前記第２の位置へ移動させるように構成される、作用部接続機構と、
を備え、
前記第１の位置は、前記第２の作用部が前記第１の作用部から離れて配置される位置であり、前記第１の位置と比べて、前記第２の作用部が前記第２の位置にあるときには、前記第２の作用部が前記第１の作用部に対して回転されて並進される、
手工具。
【請求項２】
前記作用部接続機構は、前記第１の作用部に設けられる穴と、前記第２の作用部に設けられる溝と、前記第１の作用部の前記穴及び前記第２の作用部の前記溝を貫通して延びるシャフトとを備え、前記シャフトは、前記第２の作用部を前記第１の作用部に対して回転させて並進させることができるように前記溝内で移動可能及び回転可能である請求項１に記載の手工具。
【請求項３】
前記作用部接続機構は、前記第２の作用部に設けられる穴と、前記第１の作用部に設けられる溝と、前記第２の作用部の前記穴及び前記第１の作用部の前記溝を貫通して延びるシャフトとを備え、前記シャフトは、前記第２の作用部を前記第１の作用部に対して回転させて並進させることができるように前記溝内で移動可能及び回転可能である請求項１に記載の手工具。
【請求項４】
前記溝は、水平溝、傾斜溝、又は、円弧溝である請求項２または３に記載の手工具。
【請求項５】
前記作用部接続機構は、前記第１の作用部に設けられる第１の穴、前記第２の作用部に設けられる第１の溝、及び、前記第１の穴及び前記第１の溝を貫通して延びる第１のシャフトと、前記第２の作用部に設けられる第２の穴、前記第１の作用部に設けられる第２の溝、及び、前記第２の穴及び前記第２の溝を貫通して延びる第２のシャフトとを備え、前記第２の作用部を前記第１の作用部に対して回転させて並進させることができるように、前記第１のシャフトが前記第１の溝内で移動可能及び回転可能であるとともに、前記第２のシャフトが前記第２の溝内で移動可能及び回転可能である請求項１に記載の手工具。
【請求項６】
前記作用部接続機構は、前記第２の作用部に設けられる第１の穴、前記第１の作用部に設けられる第１の溝、及び、前記第１の穴及び前記第１の溝を貫通して延びる第１のシャフトと、前記第１の作用部に設けられる第２の穴、前記第２の作用部に設けられる第２の溝、及び、前記第２の穴及び前記第２の溝を貫通して延びる第２のシャフトとを備え、前記第２の作用部を前記第１の作用部に対して回転させて並進させることができるように、前記第１のシャフトが前記第１の溝内で移動可能及び回転可能であるとともに、前記第２のシャフトが前記第２の溝内で移動可能及び回転可能である請求項１に記載の手工具。
【請求項７】
前記第１のシャフトと前記第１の穴及び前記第１の溝との間の嵌合隙間は、前記第２のシャフトと前記第２の穴及び前記第２の溝との間の嵌合隙間よりも大きい、小さい、又は、該嵌合隙間に等しい請求項５または６に記載の手工具。
【請求項８】
前記第１の溝が円弧溝又は正方形溝である請求項５または６に記載の手工具。
【請求項９】
前記第２の溝が円弧溝又は正方形溝である請求項５または６に記載の手工具。
【請求項１０】
第１のハンドル、及び、前記第１のハンドルに接続固定される第１の作用部と、
第２のハンドル、及び、前記第２のハンドルに回動可能に接続される第２の作用部であって、第１の位置及び第２の位置を有する第２の作用部と、
作用部接続機構であって、該作用部接続機構によって前記第２の作用部が前記第１の作用部に接続され、前記作用部接続機構は、前記第２のハンドルが前記第１のハンドルから離れた位置から前記第１のハンドルに近づくように移動されるときに前記作用部接続機構が前記第２の作用部を前記第１の位置から前記第２の位置へ移動させるように構成される、作用部接続機構と、
前記第２のハンドルと前記第１のハンドルとの間に設けられるロッド形状部材と、
を備え、
前記第１の位置は、前記第２の作用部が前記第１の作用部から離れて配置される位置であり、前記第１の位置と比べて、前記第２の作用部が前記第２の位置にあるときには、前記第２の作用部が前記第１の作用部に対して回転されて並進される、
手工具。
【請求項１１】
前記作用部接続機構は、前記第１の作用部に設けられる穴と、前記第２の作用部に設けられる溝と、前記第１の作用部の前記穴及び前記第２の作用部の前記溝を貫通して延びるシャフトとを備え、前記シャフトは、前記第２の作用部を前記第１の作用部に対して回転させて並進させることができるように前記溝内で移動可能及び回転可能である請求項１０に記載の手工具。
【請求項１２】
前記作用部接続機構は、前記第２の作用部に設けられる穴と、前記第１の作用部に設けられる溝と、前記第２の作用部の前記穴及び前記第１の作用部の前記溝を貫通して延びるシャフトとを備え、前記シャフトは、前記第２の作用部を前記第１の作用部に対して回転させて並進させることができるように前記溝内で移動可能及び回転可能である請求項１０に記載の手工具。
【請求項１３】
前記溝は、水平溝、傾斜溝、又は、円弧溝である請求項１１または１２に記載の手工具。
【請求項１４】
前記作用部接続機構は、前記第１の作用部に設けられる第１の穴、前記第２の作用部に設けられる第１の溝、及び、前記第１の穴及び前記第１の溝を貫通して延びる第１のシャフトと、前記第２の作用部に設けられる第２の穴、前記第１の作用部に設けられる第２の溝、及び、前記第２の穴及び前記第２の溝を貫通して延びる第２のシャフトとを備え、前記第２の作用部を前記第１の作用部に対して回転させて並進させることができるように、前記第１のシャフトが前記第１の溝内で移動可能及び回転可能であるとともに、前記第２のシャフトが前記第２の溝内で移動可能及び回転可能である請求項１０に記載の手工具。
【請求項１５】
前記作用部接続機構は、前記第２の作用部に設けられる第１の穴、前記第１の作用部に設けられる第１の溝、及び、前記第１の穴及び前記第１の溝を貫通して延びる第１のシャフトと、前記第１の作用部に設けられる第２の穴、前記第２の作用部に設けられる第２の溝、及び、前記第２の穴及び前記第２の溝を貫通して延びる第２のシャフトとを備え、前記第２の作用部を前記第１の作用部に対して回転させて並進させることができるように、前記第１のシャフトが前記第１の溝内で移動可能及び回転可能であるとともに、前記第２のシャフトが前記第２の溝内で移動可能及び回転可能である請求項１０に記載の手工具。
【請求項１６】
前記第１のシャフトと前記第１の穴及び前記第１の溝との間の嵌合隙間は、前記第２のシャフトと前記第２の穴及び前記第２の溝との間の嵌合隙間よりも小さい、該嵌合隙間に等しい、又は、該嵌合隙間よりも大きい請求項１４または１５に記載の手工具。
【請求項１７】
前記第１の溝が円弧溝又は正方形溝である請求項１４または１５に記載の手工具。
【請求項１８】
前記第２の溝が円弧溝又は正方形溝である請求項１４または１５に記載の手工具。
【請求項１９】
前記手工具は、前記第２の作用部と前記第１のハンドルとの間に設けられる弾性部材を更に備える請求項１０に記載の手工具。
【請求項２０】
前記第２の作用部に掛止穴が設けられ、前記第１のハンドルにフック部が設けられ、前記弾性部材の一端が前記掛止穴内に拘束され、他端が前記フック部に接続される請求項１９に記載の手工具。
【請求項２１】
前記手工具が調整スクリューを更に備え、前記調整スクリューは、ネジを介して前記第１のハンドルの尾部に接続される請求項１０に記載の手工具。
【請求項２２】
前記ロッド形状部材が第１の端部と第２の端部とを有し、前記ロッド形状部材の前記第１の端部が前記第２のハンドルに回動可能に接続され、前記ロッド形状部材の前記第２の端部が前記第１のハンドルに回動可能に接続されて前記調整スクリューに当接する請求項２１に記載の手工具。
【請求項２３】
前記調整スクリューは、前記調整スクリューが前記第１のハンドルに対して移動されるときに前記ロッド形状部材の前記第２の端部を前記第１のハンドルに対して移動させる請求項２２に記載の手工具。
【請求項２４】
前記第１のハンドルに凹部が設けられ、前記凹部の開口が前記第２のハンドルと対向する請求項２１に記載の手工具。
【請求項２５】
前記調整スクリューの一部分が前記第１のハンドルの凹部内で延び、他の部分が前記第１のハンドルの外側に位置される請求項２４に記載の手工具。
【請求項２６】
前記第２のハンドルに凹部が設けられ、前記凹部の開口が前記第１のハンドルと対向する請求項１０に記載の手工具。
【請求項２７】
第３のハンドルが前記第２のハンドルの前記凹部内に回動可能に接続される請求項２６に記載の手工具。
【請求項２８】
前記第３のハンドルの長さが前記第２のハンドルの長さよりも短い請求項２７に記載の手工具。
【請求項２９】
前記第３のハンドルが長尺な端部を有し、前記第３のハンドルが前記第２のハンドルに対して回動されるときに、前記長尺な端部は、前記第２のハンドルと当接して、前記第３のハンドルが前記第２のハンドルに対して回動され続けることを防止できる請求項２７に記載の手工具。
【請求項３０】
前記ロッド形状部材が突起を有し、前記手工具は、前記突起が前記第２のハンドルの前記凹部に入り込むときにロックされ、前記長尺な端部は、前記第３のハンドルが前記第２のハンドルへ向けて回転されるときに前記手工具のロックを解除するべく前記突起を前記第２のハンドルの前記凹部から押し出すことができる請求項２９に記載の手工具。
【請求項３１】
前記第３のハンドルと前記第２のハンドルとの間の結合部は、前記ロッド形状部材と前記第２のハンドルとの間の結合部から離間されるとともに、前記ロッド形状部材と前記第２のハンドルとの間の結合部よりも前記第２の作用部から離れている請求項２７に記載の手工具。
【請求項３２】
前記ロッド形状部材と前記第２のハンドルとの間の前記結合部は、前記第２の作用部と前記第２のハンドルとの間の結合部から離間される請求項３１に記載の手工具。
【請求項３３】
第１のハンドル、及び、前記第１のハンドルに接続固定される第１の作用部と、
第２のハンドル、及び、前記第２のハンドルに回動可能に接続される第２の作用部であって、第１の位置及び第２の位置を有する第２の作用部と、
作用部接続機構であって、該作用部接続機構によって前記第２の作用部が前記第１の作用部に接続され、前記作用部接続機構は、前記第２のハンドルが前記第１のハンドルから離れた位置から前記第１のハンドルに近づくように移動されるときに前記作用部接続機構が前記第２の作用部を前記第１の位置から前記第２の位置へ移動させるように構成される、作用部接続機構と、
前記第２のハンドルと前記第１のハンドルとの間に設けられるロッド形状部材と、
前記第２のハンドルに対する前記ロッド形状部材の変位を止めるために使用されるストッパ機構と、
を備え、
前記第１の位置は、前記第２の作用部が前記第１の作用部から離れて配置される位置であり、前記第１の位置と比べて、前記第２の作用部が前記第２の位置にあるときには、前記第２の作用部が前記第１の作用部に対して回転されて並進される、
手工具。
【請求項３４】
前記ストッパ機構は、前記第２の作用部に設けられる腎臓形状穴と、前記腎臓形状穴内に設けられるストッパシャフトとを備え、前記ロッド形状部材は、前記ストッパシャフトを介して前記第２のハンドルに回動可能に接続され、前記ストッパシャフトは前記腎臓形状穴と協働して前記ストッパ機構を形成する請求項３３に記載の手工具。
【請求項３５】
第１のハンドル、及び、前記第１のハンドルに接続固定される第１の作用部と、
第２のハンドル、及び、前記第２のハンドルに回動可能に接続される第２の作用部であって、第１の位置及び第２の位置を有する第２の作用部と、
作用部接続機構であって、該作用部接続機構によって前記第２の作用部が前記第１の作用部に接続され、前記作用部接続機構は、前記第２のハンドルが前記第１のハンドルから離れた位置から前記第１のハンドルに近づくように移動されるときに前記作用部接続機構が前記第２の作用部を前記第１の位置から前記第２の位置へ移動させるように構成される、作用部接続機構と、
前記第１のハンドルに摺動可能に装着される摺動機構と、
ロッド形状部材であって、該ロッド形状部材の一端が前記第２のハンドルに回動可能に接続され、他端が前記摺動機構に回動可能に装着される、ロッド形状部材と、
を備え、
前記第１の位置は、前記第２の作用部が前記第１の作用部から離れて配置される位置であり、前記第１の位置と比べて、前記第２の作用部が前記第２の位置にあるときには、前記第２の作用部が前記第１の作用部に対して回転されて並進される、
手工具。
【請求項３６】
前記摺動機構に接続される前記ロッド形状部材の一端は曲線部によって構成され、前記第１のハンドルにより近い前記曲線部の曲率は、前記第１のハンドルから離れた前記曲線部の曲率よりも大きい請求項３５に記載の手工具。
【請求項３７】
前記手工具は、前記第１のハンドルに摺動可能に装着されて前記第１のハンドルに近い前記摺動機構の遠位端に位置されるロック機構を更に備える請求項３５に記載の手工具。
【請求項３８】
前記ロック機構がガイドロッドとロックタブとを備え、前記ガイドロッドは、前記第１のハンドルに装着されるとともに、前記ロックタブを貫通して設けられる請求項３７に記載の手工具。
【請求項３９】
前記ガイドロッドの断面は、丸みを帯びた角を有する不等辺四辺形であり、前記ロックタブは、前記ガイドロッドが通過する開口部を中央に有し、前記開口部には、前記ガイドロッドの断面と同じ形状の丸みを帯びた角を有する不等辺四辺形の断面が与えられ、前記ガイドロッドと前記ロックタブとの間には隙間嵌めが存在する請求項３８に記載の手工具。
【請求項４０】
前記調整機構は、前記ガイドロッドに装着されるとともに、前記摺動機構と前記ロック機構との間に位置され、前記調整機構は、前記ガイドロッドの長手方向で変位できるように構成される請求項３５に記載の手工具。
【請求項４１】
前記調整機構は、該調整機構が前記ガイドロッドの両端に向けて最大変位に達する際には前記手工具がロックされるときに前記摺動機構に接続される前記ロッド形状部材の一端が前記調整機構と接触できるように構成される請求項４０に記載の手工具。
【請求項４２】
前記調整機構が調整ボルトとキャリアとを備え、前記キャリアが前記ガイドロッドに装着され、前記調整ボルトは、前記キャリアに装着されるとともに、前記ガイドロッドの方向で前記キャリアに対して変位可能である請求項４０に記載の手工具。
【発明の詳細な説明】
【技術分野】
【０００１】
本発明は、手工具に関し、特に省力プライヤに関する。
【背景技術】
【０００２】
通常のプライヤは、一般に、固定締め付けジョー、可動締め付けジョー、及び、ハンドルを含み、ハンドルに作用する力は、レバー原理による変換により、締め付けジョーに作用するより大きな力へと変換される。しかしながら、ハンドルに作用する力が消失すると、締め付け開口は、必然的に解放され、被加工物を締め付け続けることができない。省力プライヤはレバー原理を２回使用するため、ハンドルに作用する力は、レバー原理によって２回変換され、最終的に、締め付け開口で印加される力の数倍の締め付け力を形成し、それにより、労力を省くという目的を達成する。
【０００３】
既存のロックプライヤでは、可動締め付けジョーと固定締め付けジョーとが単一の固定シャフトを介して回動可能に接続され、また、回動シャフトと締め付け開口との間の距離が比較的遠いため、労力を省くという目的を更に達成することが望ましい場合、使用され得る１つの方法は、締め付け開口により近い位置に回動シャフトを設けることであるが、この方法の結果として、締め付け開口の角度が減少される。
【発明の概要】
【０００４】
従来技術の前述した欠点に鑑みて、本発明によって解決されるべき技術的課題は、より省力的で且つ比較的大きな締め付け開口を確保する省力プライヤを提供することである。
【０００５】
上記目的を達成するために、本発明は、
第１のハンドル、及び、第１のハンドルに接続固定される第１の作用部と、
第２のハンドル、及び、第２のハンドルに回動可能に接続される第２の作用部であって、第１の位置及び第２の位置を有する第２の作用部と、
作用部接続機構であって、該作用部接続機構によって第２の作用部が第１の作用部に接続され、作用部接続機構は、第２のハンドルが第１のハンドルから離れた位置から第１のハンドルに近づくように移動されるときに作用部接続機構が第２の作用部を第１の位置から第２の位置へ移動させるように構成される、作用部接続機構と、
を含み、
第１の位置は、第２の作用部が第１の作用部から離れて配置される位置であり、第１の位置と比べて、第２の作用部が第２の位置にあるときには、第２の作用部が第１の作用部に対して回転されて並進される、
手工具を提供する。
【０００６】
また、作用部接続機構は、第１の作用部に設けられる穴と、第２の作用部に設けられる溝と、第１の作用部の穴及び第２の作用部の溝を貫通して延びるシャフトとを含み、シャフトは、第２の作用部を第１の作用部に対して回転させて並進させることができるように溝内で移動可能及び回転可能である。
【０００７】
或いは、作用部接続機構は、第２の作用部に設けられる穴と、第１の作用部に設けられる溝と、第２の作用部の穴及び第１の作用部の溝を貫通して延びるシャフトとを含み、シャフトは、第２の作用部を第１の作用部に対して回転させて並進させることができるように溝内で移動可能及び回転可能である。
【０００８】
更に、溝は、水平溝、傾斜溝、又は、円弧溝である。
【０００９】
好ましくは、作用部接続機構は、
第１の作用部に設けられる第１の穴、第２の作用部に設けられる第１の溝、及び、第１の穴及び第１の溝を貫通して延びる第１のシャフトと、
第２の作用部に設けられる第２の穴、第１の作用部に設けられる第２の溝、及び、第２の穴及び第２の溝を貫通して延びる第２のシャフトと、
を含み、
第２の作用部を第１の作用部に対して回転させて並進させることができるように、第１のシャフトが第１の溝内で移動可能及び回転可能であるとともに、第２のシャフトが第２の溝内で移動可能及び回転可能である。
【００１０】
或いは、作用部接続機構は、
第２の作用部に設けられる第１の穴、第１の作用部に設けられる第１の溝、及び、第１の穴及び第１の溝を貫通して延びる第１のシャフトと、
第１の作用部に設けられる第２の穴、第２の作用部に設けられる第２の溝、及び、第２の穴及び第２の溝を貫通して延びる第２のシャフトと、
を含み、
第２の作用部を第１の作用部に対して回転させて並進させることができるように、第１のシャフトが第１の溝内で移動可能及び回転可能であるとともに、第２のシャフトが第２の溝内で移動可能及び回転可能である。
【００１１】
また、第１のシャフトと第１の穴及び第１の溝との間の嵌合隙間は、第２のシャフトと第２の穴及び第２の溝との間の嵌合隙間よりも小さい。
【００１２】
或いは、第１のシャフトと第１の穴及び第１の溝との間の嵌合隙間は、第２のシャフトと第２の穴及び第２の溝との間の嵌合隙間に等しい。
【００１３】
或いは、第１のシャフトと第１の穴及び第１の溝との間の嵌合隙間は、第２のシャフトと第２の穴及び第２の溝との間の嵌合隙間よりも大きい。
【００１４】
また、第１の溝は円弧溝又は正方形溝である。
【００１５】
また、第２の溝は円弧溝又は正方形溝である。
【００１６】
本発明の好ましい実施形態では、
第１のハンドル、及び、第１のハンドルに接続固定される第１の作用部と、
第２のハンドル、及び、第２のハンドルに回動可能に接続される第２の作用部であって、第１の位置及び第２の位置を有する第２の作用部と、
作用部接続機構であって、該作用部接続機構によって第２の作用部が第１の作用部に接続され、作用部接続機構は、第２のハンドルが第１のハンドルから離れた位置から第１のハンドルに近づくように移動されるときに作用部接続機構が第２の作用部を第１の位置から前記第２の位置へ移動させるように構成される、作用部接続機構と、
第２のハンドルと第１のハンドルとの間に設けられるロッド形状部材と、
を含み、
第１の位置は、第２の作用部が第１の作用部から離れて配置される位置であり、第１の位置と比べて、第２の作用部が第２の位置にあるときには、第２の作用部が第１の作用部に対して回転されて並進される、
手工具が提供される。
【００１７】
また、作用部接続機構は、第１の作用部に設けられる穴と、第２の作用部に設けられる溝と、第１の作用部の穴及び第２の作用部の溝を貫通して延びるシャフトとを含み、シャフトは、第２の作用部を第１の作用部に対して回転させて並進させることができるように溝内で移動可能及び回転可能である。
【００１８】
或いは、作用部接続機構は、第２の作用部に設けられる穴と、第１の作用部に設けられる溝と、第２の作用部の穴及び第１の作用部の溝を貫通して延びるシャフトとを含み、シャフトは、第２の作用部を第１の作用部に対して回転させて並進させることができるように溝内で移動可能及び回転可能である。
【００１９】
更に、溝は、水平溝、傾斜溝、又は、円弧溝である。
【００２０】
好ましくは、作用部接続機構は、
第１の作用部に設けられる第１の穴、第２の作用部に設けられる第１の溝、及び、第１の穴及び第１の溝を貫通して延びる第１のシャフトと、
第２の作用部に設けられる第２の穴、第１の作用部に設けられる第２の溝、及び、第２の穴及び第２の溝を貫通して延びる第２のシャフトと、
を含み、
第２の作用部を第１の作用部に対して回転させて並進させることができるように、第１のシャフトが第１の溝内で移動可能及び回転可能であるとともに、第２のシャフトが第２の溝内で移動可能及び回転可能である。
【００２１】
或いは、作用部接続機構は、
第２の作用部に設けられる第１の穴、第１の作用部に設けられる第１の溝、及び、第１の穴及び第１の溝を貫通して延びる第１のシャフトと、
第１の作用部に設けられる第２の穴、第２の作用部に設けられる第２の溝、及び、第２の穴及び第２の溝を貫通して延びる第２のシャフトと、
を含み、
第２の作用部を第１の作用部に対して回転させて並進させることができるように、第１のシャフトが第１の溝内で移動可能及び回転可能であるとともに、第２のシャフトが第２の溝内で移動可能及び回転可能である。
【００２２】
また、第１のシャフトと第１の穴及び第１の溝との間の嵌合隙間は、第２のシャフトと第２の穴及び第２の溝との間の嵌合隙間よりも小さい。
【００２３】
或いは、第１のシャフトと第１の穴及び第１の溝との間の嵌合隙間は、第２のシャフトと第２の穴及び第２の溝との間の嵌合隙間に等しい。
【００２４】
或いは、第１のシャフトと第１の穴及び第１の溝との間の嵌合隙間は、第２のシャフトと第２の穴及び第２の溝との間の嵌合隙間よりも大きい。
【００２５】
また、第１の溝は円弧溝又は正方形溝である。
【００２６】
また、第２の溝は円弧溝又は正方形溝である。
【００２７】
また、手工具は、第２の作用部と第１のハンドルとの間に設けられる弾性部材を更に含む。
【００２８】
また、第２の作用部に掛止穴が設けられ、第１のハンドルにフック部が設けられ、弾性部材の一端が掛止穴内に拘束され、他端がフック部に接続される。
【００２９】
更に、手工具が調整スクリューを更に含み、調整スクリューは、ネジを介して第１のハンドルの尾部に接続される。
【００３０】
また、ロッド形状部材が第１の端部と第２の端部とを有し、ロッド形状部材の第１の端部が第２のハンドルに回動可能に接続され、ロッド形状部材の第２の端部が第１のハンドルに回動可能に接続されて調整スクリューに当接する。
【００３１】
更に、調整スクリューは、調整スクリューが第１のハンドルに対して移動されるときにロッド形状部材の第２の端部を第１のハンドルに対して移動させる。
【００３２】
更に、第１のハンドルに凹部が設けられ、凹部の開口が第２のハンドルと対向する。
【００３３】
更に、調整スクリューの一部分が第１のハンドルの凹部内で延び、また、他の部分が第１のハンドルの外側に位置される。
【００３４】
更に、第２のハンドルに凹部が設けられ、凹部の開口が第１のハンドルと対向する。
【００３５】
更に、第３のハンドルが第２のハンドルの凹部内に回動可能に接続される。
【００３６】
更に、第３のハンドルの長さは、第２のハンドルの長さよりも短い。
【００３７】
更に、第３のハンドルは長尺な端部を有し、この長尺な端部は、第３のハンドルが第２のハンドルに対して回動されるときに、第２のハンドルと当接して、第３のハンドルが第２のハンドルに対して回動され続けることを防止できる。
【００３８】
更に、ロッド形状部材が突起を有し、手工具は、突起が第２のハンドルの凹部に入り込むときにロックされ、長尺な端部は、第３のハンドルが第２のハンドルへ向けて回転されるときに手工具のロックを解除するべく突起を第２のハンドルの凹部から押し出すことができる。
【００３９】
更に、第３のハンドルと第２のハンドルとの間の結合部は、ロッド形状部材と第２のハンドルとの間の結合部から離間されるとともに、ロッド形状部材と第２のハンドルとの間の結合部よりも第２の作用部から離れている。
【００４０】
また、ロッド形状部材と第２のハンドルとの間の結合部は、第２の作用部と第２のハンドルとの間の結合部から離間される。
【００４１】
本発明の他の好ましい実施形態では、
第１のハンドル、及び、第１のハンドルに接続固定される第１の作用部と、
第２のハンドル、及び、第２のハンドルに回動可能に接続される第２の作用部であって、第１の位置及び第２の位置を有する第２の作用部と、
作用部接続機構であって、該作用部接続機構によって第２の作用部が、第２のハンドルが第１のハンドルから離れた位置から第１のハンドルに近づくように移動されるときに作用部接続機構が第２の作用部を第１の位置から前記第２の位置へ移動させるように接続される、作用部接続機構と、
第２のハンドルと第１のハンドルとの間に設けられるロッド形状部材と、
第２のハンドルに対するロッド形状部材の変位を止めるために使用されるストッパ機構と、
を含み、
第１の位置は、第２の作用部が第１の作用部から離れて配置される位置であり、第１の位置と比べて、第２の作用部が第２の位置にあるときには、第２の作用部が第１の作用部に対して回転されて並進される、
手工具が提供される。
【００４２】
また、作用部接続機構は、第１の作用部に設けられる穴と、第２の作用部に設けられる溝と、第１の作用部の穴及び第２の作用部の溝を貫通して延びるシャフトとを含み、シャフトは、第２の作用部を第１の作用部に対して回転させて並進させることができるように溝内で移動可能及び回転可能である。
【００４３】
或いは、作用部接続機構は、第２の作用部に設けられる穴と、第１の作用部に設けられる溝と、第２の作用部の穴及び第１の作用部の溝を貫通して延びるシャフトとを含み、シャフトは、第２の作用部を第１の作用部に対して回転させて並進させることができるように溝内で移動可能及び回転可能である。
【００４４】
更に、溝は、水平溝、傾斜溝、又は、円弧溝である。
【００４５】
好ましくは、作用部接続機構は、
第１の作用部に設けられる第１の穴、第２の作用部に設けられる第１の溝、及び、第１の穴及び第１の溝を貫通して延びる第１のシャフトと、
第２の作用部に設けられる第２の穴、第１の作用部に設けられる第２の溝、及び、第２の穴及び第２の溝を貫通して延びる第２のシャフトと、
を含み、
第２の作用部を第１の作用部に対して回転させて並進させることができるように、第１のシャフトが第１の溝内で移動可能及び回転可能であるとともに、第２のシャフトが第２の溝内で移動可能及び回転可能である。
【００４６】
或いは、作用部接続機構は、
第２の作用部に設けられる第１の穴、第１の作用部に設けられる第１の溝、及び、第１の穴及び第１の溝を貫通して延びる第１のシャフトと、
第１の作用部に設けられる第２の穴、第２の作用部に設けられる第２の溝、及び、第２の穴及び第２の溝を貫通して延びる第２のシャフトと、
を含み、
第２の作用部を第１の作用部に対して回転させて並進させることができるように、第１のシャフトが第１の溝内で移動可能及び回転可能であるとともに、第２のシャフトが第２の溝内で移動可能及び回転可能である。
【００４７】
また、第１のシャフトと第１の穴及び第１の溝との間の嵌合隙間は、第２のシャフトと第２の穴及び第２の溝との間の嵌合隙間よりも小さい。
【００４８】
或いは、第１のシャフトと第１の穴及び第１の溝との間の嵌合隙間は、第２のシャフトと第２の穴及び第２の溝との間の嵌合隙間に等しい。
【００４９】
或いは、第１のシャフトと第１の穴及び第１の溝との間の嵌合隙間は、第２のシャフトと第２の穴及び第２の溝との間の嵌合隙間よりも大きい。
【００５０】
また、第１の溝は円弧溝又は正方形溝である。
【００５１】
また、第２の溝は円弧溝又は正方形溝である。
【００５２】
更に、ストッパ機構は、第２の作用部に設けられる腎臓形状穴と、腎臓形状穴内に設けられるストッパシャフトとを含み、ロッド形状部材は、ストッパシャフトを介して第２のハンドルに回動可能に接続され、ストッパシャフトは腎臓形状穴と協働してストッパ機構を形成する。
【００５３】
更に、第１の作用部及び第２の作用部は、ストッパシャフトが腎臓形状穴内で第１のハンドルと対向しているときには解放状態にあり、第１の作用部及び第２の作用部は、ストッパシャフトが腎臓形状穴内で第１のハンドルから離れているときには締め付け状態にある。
【００５４】
更に、第２のハンドルに凹部が設けられ、凹部の開口が第１のハンドルと対向する。
【００５５】
更に、第２のハンドルの凹部内には第３のハンドルが設けられ、第３のハンドルは第２のハンドルに接続され、また、第３のハンドルはストッパシャフトを介してロッド形状部材に接続される。
【００５６】
更に、第３のハンドルと第２のハンドルとの間の結合部は、第２のハンドルと第２の作用部の間の結合部から離間され、また、第３のハンドルと第２のハンドルとの間の結合部は、第３のハンドルとロッド形状部材との間の結合部から離間される。
【００５７】
更に、第２のハンドルの長さは、第３のハンドルの長さよりも大きい。
【００５８】
更に、第２のハンドルの回転中、ロッド形状部材と第３のハンドルとの間の結合部は、第３のハンドルと第２のハンドルとの間の結合部と第２のハンドルと第２の作用部との間の結合部とを接続する接続ラインを通り越し、第１の作用部及び第２の作用部は、第２のハンドルが第１のハンドルに近づくように移動されて接続ラインを通り越すときに締め付けられ、また、第１の作用部及び第２の作用部は、第２のハンドルが第１のハンドルから離れるように移動されて接続ラインを通り越すときに解放される。
【００５９】
また、手工具は、第２の作用部と第１のハンドルとの間に設けられる弾性部材を更に含む。
【００６０】
また、第２の作用部に掛止穴が設けられ、第１のハンドルにフック部が設けられ、弾性部材の一端が掛止穴内に拘束され、他端がフック部に接続される。
【００６１】
更に、手工具が調整スクリューを更に含み、調整スクリューは、ネジを介して第１のハンドルの尾部に接続される。
【００６２】
また、ロッド形状部材が第１の端部と第２の端部とを有し、ロッド形状部材の第１の端部が第２のハンドルに回動可能に接続され、ロッド形状部材の第２の端部が第１のハンドルに回動可能に接続されて調整スクリューに当接する。
【００６３】
更に、調整スクリューは、調整スクリューが第１のハンドルに対して移動されるときにロッド形状部材の第２の端部を第１のハンドルに対して移動させる。
【００６４】
更に、第１のハンドルに凹部が設けられ、凹部の開口が第２のハンドルと対向する。
【００６５】
更に、調整スクリューの一部分が第１のハンドルの凹部内で延び、また、他の部分が第１のハンドルの外側に位置される。
【００６６】
本発明の更なる他の好ましい実施形態では、
第１のハンドル、及び、第１のハンドルに接続固定される第１の作用部と、
第２のハンドル、及び、第２のハンドルに回動可能に接続される第２の作用部であって、第１の位置及び第２の位置を有する第２の作用部と、
作用部接続機構であって、該作用部接続機構によって第２の作用部が第１の作用部に接続され、作用部接続機構は、第２のハンドルが第１のハンドルから離れた位置から第１のハンドルに近づくように移動されるときに作用部接続機構が第２の作用部を第１の位置から第２の位置へ移動させるように構成される、作用部接続機構と、
第１のハンドルに摺動可能に装着される摺動機構と、
ロッド形状部材であって、該ロッド形状部材の一端が第２のハンドルに回動可能に接続され、他端が摺動機構に回動可能に装着される、ロッド形状部材と、
を含み、
第１の位置は、第２の作用部が第１の作用部から離れて配置される位置であり、第１の位置と比べて、第２の作用部が第２の位置にあるときには、第２の作用部が第１の作用部に対して回転されて並進される、
手工具が提供される。
【００６７】
また、作用部接続機構は、第１の作用部に設けられる穴と、第２の作用部に設けられる溝と、第１の作用部の穴及び第２の作用部の溝を貫通して延びるシャフトとを含み、シャフトは、第２の作用部を第１の作用部に対して回転させて並進させることができるように溝内で移動可能及び回転可能である。
【００６８】
或いは、作用部接続機構は、第２の作用部に設けられる穴と、第１の作用部に設けられる溝と、第２の作用部の穴及び第１の作用部の溝を貫通して延びるシャフトとを含み、シャフトは、第２の作用部を第１の作用部に対して回転させて並進させることができるように溝内で移動可能及び回転可能である。
【００６９】
更に、溝は、水平溝、傾斜溝、又は、円弧溝である。
【００７０】
好ましくは、作用部接続機構は、
第１の作用部に設けられる第１の穴、第２の作用部に設けられる第１の溝、及び、第１の穴及び第１の溝を貫通して延びる第１のシャフトと、
第２の作用部に設けられる第２の穴、第１の作用部に設けられる第２の溝、及び、第２の穴及び第２の溝を貫通して延びる第２のシャフトと、
を含み、
第２の作用部を第１の作用部に対して回転させて並進させることができるように、第１のシャフトが第１の溝内で移動可能及び回転可能であるとともに、第２のシャフトが第２の溝内で移動可能及び回転可能である。
【００７１】
或いは、作用部接続機構は、
第２の作用部に設けられる第１の穴、第１の作用部に設けられる第１の溝、及び、第１の穴及び第１の溝を貫通して延びる第１のシャフトと、
第１の作用部に設けられる第２の穴、第２の作用部に設けられる第２の溝、及び、第２の穴及び第２の溝を貫通して延びる第２のシャフトと、
を含み、
第２の作用部を第１の作用部に対して回転させて並進させることができるように、第１のシャフトが第１の溝内で移動可能及び回転可能であるとともに、第２のシャフトが第２の溝内で移動可能及び回転可能である。
【００７２】
また、第１のシャフトと第１の穴及び第１の溝との間の嵌合隙間は、第２のシャフトと第２の穴及び第２の溝との間の嵌合隙間よりも小さい。
【００７３】
或いは、第１のシャフトと第１の穴及び第１の溝との間の嵌合隙間は、第２のシャフトと第２の穴及び第２の溝との間の嵌合隙間に等しい。
【００７４】
或いは、第１のシャフトと第１の穴及び第１の溝との間の嵌合隙間は、第２のシャフトと第２の穴及び第２の溝との間の嵌合隙間よりも大きい。
【００７５】
また、第１の溝は円弧溝又は正方形溝である。
【００７６】
また、第２の溝は円弧溝又は正方形溝である。
【００７７】
更に、摺動機構に接続されるロッド形状部材の一端は曲線部によって構成され、また、第１のハンドルにより近い曲線部の曲率は、第１のハンドルから離れた曲線部の曲率よりも大きい。
【００７８】
更に、手工具は、第１のハンドルに摺動可能に装着されて第１のハンドルに近い摺動機構の遠位端に位置されるロック機構を更に含む。
【００７９】
更に、ロック機構はガイドロッドとロックタブとを含み、ガイドロッドは、第１のハンドル上に装着されるとともに、ロックタブを貫通して設けられる。
【００８０】
更に、ロックタブは複数の部品から構成され、また、ロックタブの複数の部品は互いに取り付けられる。
【００８１】
更に、ガイドロッドの断面は、丸みを帯びた角を有する不等辺四辺形であり、ロックタブは、ガイドロッドが通過する開口部を中央に有し、開口部には、ガイドロッドの断面と同じ形状の丸みを帯びた角を有する不等辺四辺形の断面が与えられ、ガイドロッドとロックタブとの間には隙間嵌めが存在する。
【００８２】
更に、調整機構は、ガイドロッドに装着されるとともに、摺動機構とロック機構との間に位置され、また、調整機構は、ガイドロッドの長手方向で変位できるように構成される。
【００８３】
更に、調整機構は、該調整機構がガイドロッドの両端に向けて最大変位に達する際には手工具がロックされるときに摺動機構に接続されるロッド形状部材の一端が調整機構と接触できるように構成される。
【００８４】
更に、調整機構が調整ボルトとキャリアとを含み、キャリアがガイドロッドに装着され、調整スクリューは、キャリアに装着されるとともに、ガイドロッドの方向でキャリアに対して変位される。
【００８５】
更に、キャリアは、ロックタブの断面と同じ断面を有するとともに、ロックタブと同じ位置でロックタブのサイズと同じサイズを有する開口部を有し、また、ガイドロッドはキャリアの開口部を通過する。
【００８６】
更に、第２のハンドルに凹部が設けられ、凹部の開口が第１のハンドルと対向し、また、第３のハンドルが第２のハンドルの凹部内に回動可能に接続される。
【００８７】
更に、第３のハンドルは長尺な端部を有し、この長尺な端部は、第３のハンドルが第２のハンドルに対して回動されるときに、第２のハンドルと当接して、第３のハンドルが第２のハンドルに対して回動され続けることを防止できる。
【００８８】
更に、ロッド形状部材が突起を有し、手工具は、突起が第２のハンドルの凹部に入り込むときにロックされ、長尺な端部は、第３のハンドルが第２のハンドルへ向けて回転されるときに手工具のロックを解除するべく突起を第２のハンドルの凹部から押し出すことができる。
【００８９】
本発明により提供される手工具は、省力プライヤ、ウォーターポンププライヤ等であってもよく、この場合、作用部接続機構が１シャフト構成又は２シャフト構成を使用するかどうかにかかわらず、第１の作用部と第２の作用部とが作用部接続機構を介して接続され、また、第１の作用部に対する第２の作用部の回転のシャフト中心は、既存のロックプライヤよりも締め付け開口の方に近く、したがって、既存のロックプライヤよりも省力的である。加えて、シャフトが溝に設けられるため、すなわち、第２の作用部が第１の作用部に対して移動されるときに、シャフトが溝内で移動されて回転され、又は、溝がシャフトに対して移動され、それにより、大きな締め付け開口が確保される。一方、物品が締め付けられると、シャフトが溝に対して移動できるため、第２の作用部も第１の作用部に対して回転に加えて並進され、それにより、第２の作用部及び第１の作用部と締め付け物品との間の接触領域（すなわち、把持領域）が増大され、それにより、把持がより効果的になる。
【００９０】
以下、本発明の目的、特徴、及び、効果を十分に理解するために、本発明の概念、具体的な構造、及び、技術的効果を添付図面と併せて更に説明する。
【図面の簡単な説明】
【００９１】
【図１】本発明の好ましい実施形態に係る手工具の概略図であり、第１の作用部と第２の作用部とが１つのシャフトを介して接続されるときの水平溝の形状を示す。
【図２】本発明の好ましい実施形態に係る手工具の概略図であり、第１の作用部と第２の作用部とが１つのシャフトを介して接続されるときの傾斜溝の形状を示す。
【図３】本発明の好ましい実施形態に係る手工具の概略図であり、第１の作用部と第２の作用部とが１つのシャフトを介して接続されるときの円弧溝の形状を示す。
【図４】本発明の好ましい実施形態に係る手工具の概略図であり、第１の作用部と第２の作用部とが２つのシャフトを介して接続されるときの円弧溝の形状を示す。
【図５】締め付け開口が閉状態にある本発明の特定の実施形態における省力プライヤの概略図である。
【図６】締め付け開口が開状態にある本発明の特定の実施形態における省力プライヤの概略図である。
【図７】締め付け開口が物品を把持する状態にある本発明の特定の実施形態における省力プライヤの概略図である。
【図８】本発明の特定の実施形態における、ハンドルが大きく開放しすぎないようにするためのウォーターポンププライヤの概略図である。
【図９】本発明の特定の実施形態における自動調整式ウォーターポンププライヤの概略図である。
【発明を実施するための形態】
【００９２】
図１〜図４に示されるように、本発明の好ましい実施形態は、第１のハンドル２と、第１の作用部１と、第２のハンドル４と、第２の作用部３と、作用部接続機構とを含む手工具を提供する。この場合、第１のハンドル２は第２のハンドル４に接続固定され、別の実施形態では、第１のハンドル２と第２のハンドル４とが一体であってもよい。第２のハンドル４は第２の作用部３に回動可能に接続され、第２の作用部３は第１の位置と第２の位置とを有する。ここで、第２の作用部３の第１の位置とは、第２の作用部３が第１の作用部１から離れて配置される位置のことであり、また、第１の位置と比べて、第２の作用部３が第２の位置にあるときには、第２の作用部３が第１の作用部１に対して回転されて並進される。本発明の一実施形態において、第１の作用部１及び第２の作用部３は、物品を締め付けるための締め付け開口又は物品を剪断するための剪断開口を形成するように協働し、また、締め付け開口又は剪断開口の形成は、第１の作用部１と第２の作用部３との間の協働部位の形状に依存する。
【００９３】
第２の作用部３は作用部接続機構１００を介して第１の作用部１に接続され、また、作用部接続機構１００は、第２のハンドル４が第１のハンドル２から離れた位置から第１のハンドル２に近づくように移動されるときに作用部接続機構１００によって第２の作用部３が第１の位置から第２の位置へ移動されるように構成される。
【００９４】
具体的には、図１〜図３に示されるように、作用部接続機構１００は、第１の作用部１に設けられる穴と、第２の作用部３に設けられる溝６と、第１の作用部１の穴及び第２の作用部３の溝６を貫通して延びるシャフト５とを含み、シャフト５は、第２の作用部３を第１の作用部１に対して回転させて並進させることができるように溝６内で移動可能及び回転可能である。しかしながら、これに限定されるものではなく、別の実施形態では、穴が第２の作用部３に設けられ、溝６が第１の作用部１に設けられ、シャフト５が第２の作用部３の穴及び第１の作用部１の溝６を貫通して延び、第２の作用部３を第１の作用部１に対して回転させて並進させることができるようにシャフト５が溝６内で移動可能及び回転可能である。
【００９５】
第１の作用部１又は第２の作用部３に設けられる溝６は、第１の作用部１と第２の作用部３とが協働する際の位置ずれを防止するために、水平溝、傾斜溝、又は、円弧溝として形成されてもよい。このように、第１のハンドル２及び第２のハンドル４が外力に晒されて第２のハンドル４が第１のハンドル２に対して回転されると、第２の作用部３がシャフト５を中心に回転され、また、溝６がシャフト５に対して移動され、すなわち、シャフト５が溝６の形状に沿って溝６内で溝６に対して移動されるため、第２の作用部３も第１の作用部１に対して並進される。第１の作用部１に対する第２の作用部３の並進の利点は、手工具が物品を締め付けるために使用されるときに最適な接触を得るべく締め付けられる物品の形状及び厚さによって第１の作用部１と第２の作用部３と締め付けられる物品との角度を自動的に調整できるという点である。第１の作用部１及び第２の作用部３が薄い場合には、締め付けられる物品をハサミのように締め付けることができる。また、第１の作用部１と第２の作用部３と締め付けられる物品との間の接触面積を増大させることができ、すなわち、物品の把持がより確実で効果的であるように把持面積を大きくすることができる。ここで、水平溝は、第１の作用部１と第２の作用部３とによって形成される締め付け開口又は剪断開口が閉鎖されるときに第１の作用部１と第２の作用部３との閉鎖点とシャフト５の締め付けシャフト中心とを接続する接続線の垂直線上にある溝として規定され、すなわち、溝６の溝方向は、第１の作用部１と第２の作用部３との閉鎖点とシャフト５の締め付けシャフト中心とを接続する接続線の垂直線上にある。第１の作用部１と第２の作用部３との閉鎖点とシャフト５の締め付けシャフト中心とを接続する接続線の垂直線上に溝６又はその溝方向がない（すなわち、溝６が接続線に対して垂直ではない）場合には、溝が傾斜溝である。円弧溝は傾斜溝の特殊なケースであり、また、円弧溝は、溝６内のシャフト５の溝６に対する動作経路を円弧状にする。
【００９６】
他の好ましい実施形態として、図４に示されるように、作用部接続機構１００は、第１の作用部１に設けられる第１の穴、第２の作用部３に設けられる第１の溝８、及び、第１の穴と第１の溝８とを貫通して延びる第１のシャフト７と、第２の作用部３に設けられる第２の穴、第１の作用部１に設けられる第２の溝１０、及び、第２の穴と第２の溝１０とを貫通して延びる第２のシャフト９とを有する。これに限定されないが、別の実施形態において、第１の穴が第２の作用部３に設けられ、及び、第１の溝８が第１の作用部１に設けられ、及び、第１のシャフト９が第２の作用部３における第１の穴と第１の作用部１における第１の溝８とを貫通して延び、また、第２の穴が第１の作用部１に設けられ、及び、第２の溝１０が第２の作用部３に設けられ、及び、第２のシャフト９が第１の作用部１における第２の穴と第２の作用部３における第２の溝１０とを貫通して延びる。第１のシャフト７は第１の溝８内で移動可能及び回転可能（又は、第１の溝８が第１のシャフト７に対して移動可動及び回転可能）であり、また、第２のシャフト９は、第２の作用部３を第１の作用部１に対して回転させて並進させることができるように第２の溝１０内で移動可能及び回転可能である。第１のシャフト７は、第２のシャフト９よりも、第１の作用部１と第２の作用部３とによって形成される締め付け領域又は剪断領域に近い。この場合、第１の溝７は、円弧溝又は正方形溝であってもよく、また、第２の溝９は、円弧溝又は正方形溝であってもよい。
【００９７】
本発明の好ましい実施形態において、第１のシャフト７と第１の穴及び第１の溝８との間の嵌合隙間は、一般に、第２のシャフト９と第２の穴及び第２の溝１０との間の嵌合隙間よりも小さくなるように設定される。このようにすると、第１のハンドル２及び第２のハンドル４が外力に晒されて第１の作用部１及び第２の作用部３が物品を締め付ける又は剪断すると、第１のシャフト７と第１の穴及び第１の溝８との間の嵌合隙間が第２のシャフト９と比べて小さいため、第１のシャフト７は、最初に、第１の溝８によって第１のシャフト７に印加される力を、この力の下で第１のシャフト７が第１の溝８に対して移動し続けることができなくなるまで受け、或いは、第２のシャフト９は、第１の溝８が第１のシャフト７に対して移動し続けることができないときに第２の溝１０によって第２のシャフト９に印加される力を受け始める。したがって、この場合、第１のシャフト７は、力を支えるのに重要な役割を果たし、また、第２のシャフト９は、第１のシャフト７が外力を支えるのを助ける役割を果たす。
【００９８】
本発明の他の実施形態において、第１のシャフト７と第１の穴及び第１の溝８との間の嵌合隙間は、第２のシャフト９と第２の穴及び第２の溝１０との間の嵌合隙間に等しくなるように設定される。この場合、第１のハンドル２及び第２のハンドル４が外力に晒されて第１の作用部１及び第２の作用部３が物品を締め付ける又は剪断すると、第１のシャフト７と第１の穴及び第１の溝８との間の嵌合隙間が第２のシャフト９と第２の穴及び第２の溝１０との間の嵌合隙間に等しいため、第１のシャフト７は、第１の溝８によって第１のシャフト７に印加される力を受け、一方、第２のシャフト９は、第２の溝１０によって第２のシャフト９に印加される力を受け、すなわち、第１のシャフト７及び第２のシャフト９が外力を同等に支える。
【００９９】
本発明の他の実施形態では、第１のシャフト７と第１の穴及び第１の溝８との間の嵌合隙間が第２のシャフト９と第２の穴及び第２の溝１０との間の嵌合隙間よりも大きくなるように設定される場合、第２のシャフト９は、力を支えるのに重要な役割を果たし、また、第１のシャフト７は、第２のシャフト９が外力を支えるのを助ける。
【０１００】
この実施形態では２つのシャフト（第１のシャフト７及び第２のシャフト９）を設けることにより、２つのシャフトが外力を共に支え（シャフトの一方が力を支えるのに重要な役割を果たして他方のシャフトが力を支えるのを助ける役目を果たそうと、或いは、２つのシャフトが同等に力を支えようとにかかわらず）、１つのシャフトのみが設けられる状況と比べて、シャフトの磨耗及び手工具の変形を減らすことができる。一方、２つのシャフトを設けることにより、第１の作用部１に対する第１のシャフト７周りの第２の作用部３の回転によって形成される締め付け開口又は剪断開口のサイズを第２のシャフト９によって制限して、締め付け開口又は剪断開口が実際の使用に影響を及ぼすように大きくなりすぎることを防止することもでき、また、締め付け開口又は剪断開口が適切なサイズを有することができるようにすることも可能である。また、それにより、第１のハンドル２と第２のハンドル４との間の開放距離が大きくなりすぎることも制限され、それにより、ユーザが片手で操作でき、便利である。
【０１０１】
図５〜図７は、第１のハンドル１３、第２のハンドル１４、第１の作用部１１、第２の作用部１２、作用部接続機構２００、ロッド形状部材２１、弾性部材２２、第３のハンドル（図示せず）、調整スクリュー２５を含む手工具、具体的には省力プライヤを提供する本発明の特定の実施形態を示す。この場合、第１のハンドル１３が第１の作用部１１に接続固定され、また、それらが一体に形成されてもよい。第２のハンドル１４は、第２の作用部１２に回動可能に接続される。この実施形態において、作用部接続機構は、前述した２シャフト構成を使用し、すなわち、第１の作用部１１に設けられる第１の穴、第２の作用部１２に設けられる第１の溝１８、及び、第１の穴と第１の溝１８とを貫通して延びる第１のシャフト１７と、第２の作用部１２に設けられる第２の穴、第１の作用部に設けられる第２の溝２０、及び、第２の穴と第２の溝２０とを貫通して延びる第２のシャフト１９とを含む。第１のシャフト１７は、第２のシャフト１９よりも、第１の作用部１１と第２の作用部１２とによって形成される締め付け開口に近い。第１のシャフト１７は第１の溝１８内で移動可能及び回転可能であり、また、第２のシャフト１９は、第２の作用部１２を第１の作用部１１に対して回転させて並進させることができるように第２の溝２０内で移動可能及び回転可能である。この場合、第１の溝１８及び第２の溝２０は、円弧溝であってもよく、又は、正方形溝であってもよい。別の実施形態として、作用部接続機構２００は、前述した１シャフト構成（ここでは図示せず）を用いてもよく、すなわち、作用部接続機構２００は、第１の作用部１１に設けられる穴、第２の作用部１２に設けられる溝、及び、第１の作用部の穴と第２の作用部１２の溝とを貫通して延びるシャフトを含む。１シャフト構成の場合、溝は、水平溝、傾斜溝、又は、円弧溝であってもよい。
【０１０２】
この実施形態では、第２の作用部１２が第１の位置と第２の位置とを有する。第２の作用部１２は、作用部接続機構２００を介して第１の作用部１１に接続される。作用部接続機構２００は、第２のハンドル１４が第１のハンドル１３から離れた位置から第１のハンドル１３に近づくように移動されるときに、第２の作用部１２を第１の位置から第２の位置へ移動させる。ここで、第２の作用部１２の第１の位置とは、第２の作用部１２が第１の作用部１１から離れて配置される位置のことであり、また、第１の位置と比べて、第２の作用部１２が第２の位置にあるときには、第２の作用部１２が第１の作用部１１に対して回転されて並進される。
【０１０３】
この実施形態において、第１のシャフト１７と第１の穴及び第１の溝１８との間の嵌合隙間は、第２のシャフト１９と第２の穴及び第２の溝２０との間の嵌合隙間よりも小さい。この実施形態の別の実施形態において、第１のシャフト１７と第１の穴及び第１の溝１８との間の嵌合隙間は第２のシャフト１９と第２の穴及び第２の溝２０との間の嵌合隙間に等しくなるように又は該嵌合隙間よりも大きくなるように設定されてもよい。前述したように、２つのシャフトを設けることの１つの作用は、２つのシャフトによって外力を共に支えることであり、これにより、シャフトの磨耗及び省力プライヤの変形が低減され、また、他の作用は、第２のシャフト１９によって締め付け開口のサイズを制限すること、及び、第１のハンドル１３と第２のハンドル１４との間の開口距離を大きくなりすぎないように制限することであり、それにより、ユーザが片手で操作でき、便利である。
【０１０４】
この実施形態の省力プライヤにおいて、第１のハンドル１３内には第１のハンドル１３の長手方向に延びる凹部が設けられ、この凹部の開口は第２のハンドル１４と対向し、また、第２のハンドル１４内には第２のハンドル１４の長手方向に延びる凹部が設けられ、この凹部の開口は第１のハンドル１３と対向する。ロッド形状部材２１の第１の端部が第２のハンドル１４の凹部内に設けられ、また、ロッド形状部材２１の第１の端部は、第２のハンドル１４に回動可能に接続される。ロッド形状部材２１の第２の端部及び調整スクリュー２５が第１のハンドル１３の凹部内に設けられ、また、ロッド形状部材２１の第２の端部は調整スクリュー２５の第１の端部に接触し、調整スクリュー２５は、調整スクリュー２５の第２の端部が第１のハンドル１３の外側に位置されるまで調整スクリュー２５の第２の端部が第１のハンドル１３の尾部（すなわち、締め付け開口から離れた端部）に設けられる環状穴を貫通するように、第１のハンドル１３の凹部内で第１のハンドル１３の長手方向に延びる。環状穴には、調整スクリュー２５のネジと協働する雌ネジが設けられ、また、環状穴の直径は、調整スクリュー２５の第２の端部の直径よりも小さく、そのため、調整スクリュー２５の第２の端部は、環状穴を通じて第１のハンドル１３に入り込むことができない。
【０１０５】
調整スクリュー２５の回転は、第１のハンドル１３の凹部内の調整スクリュー２５の第１の端部の位置を変えて、第１の作用部１１と第２の作用部１２とによって形成される締め付け開口のサイズを調整し、異なるサイズの締め付け物品２６に対応できる。具体的には、調整スクリュー２５の回転によって調整スクリュー２５の第２の端部が締め付け開口から離れるように移動すると、調整スクリュー２５の第１の端部が移動するにつれてロッド形状部材２１の第２の端部が締め付け開口から離れるように移動して、ロッド形状部材２１と第２のハンドル１４との間の結合部２８を介してロッド形状部材２１の第１の端部が第２のハンドル１４を引き寄せ、その後、第２のハンドル１４と第２の作用部１２との間の結合部２７を介して第２のハンドル１４が第２の作用部１２を引き寄せ、第２の作用部１２が第１のシャフト１７と第２のシャフト１９とによって同時に制限されるため、第２の作用部１２が第１のシャフト１７及び第２のシャフト１９を中心に第１の作用部１１から離れるように回動して、締め付け開口が更に幅広くなる。調整スクリュー２５の回転によって調整スクリュー２５の第２の端部が締め付け開口に近づくように移動すると、調整スクリュー２５の第１の端部が移動するにつれてロッド形状部材２１の第２の端部が締め付け開口に近づくように移動して、ロッド形状部材２１と第２のハンドル１４との間の結合部２８を介してロッド形状部材２１の第１の端部が第２のハンドル１４を押し出し、その後、第２のハンドル１４と第２の作用部１２との間の結合部２７を介して第２のハンドル１４が第２の作用部１２を押し出し、第２の作用部１２が第１のシャフト１７と第２のシャフト１９とによって同時に制限されるため、第２の作用部１２が第１のシャフト１７及び第２のシャフト１９を中心に第１の作用部１１に近づくように回動して、締め付け開口が更に狭くなる。
【０１０６】
この実施形態の省力プライヤでは、第２の作用部１２と第１のハンドル１３との間に弾性部材２２が設けられ、具体的には、第２の作用部１２に掛止穴２４が設けられ、第１のハンドル１３の凹部内にフック部２３が設けられ、弾性部材２２の一端は掛止穴２４内に拘束され、他端はフック部２３に接続される。この実施形態の弾性部材２２は、バネ、具体的には引張バネである。
【０１０７】
この実施形態の省力プライヤでは、第３のハンドルが第２のハンドル１４の凹部内に回動可能に接続される。第３のハンドルの長さは、第２のハンドル１４の長さよりも短い。第３のハンドルは長尺な端部を有し、この長尺な端部は、第３のハンドルが第２のハンドル１４に対して回動されるときに、第２のハンドル１４と当接して、第３のハンドルが第２のハンドル１４に対して回動され続けることを防止できる。また、ロッド形状部材２１には突起２１１が設けられ、手工具は、突起２１１が第２のハンドル１４の凹部に入り込むときにロックされ、第３のハンドルの長尺な端部は、第３のハンドルが第２のハンドル１４へ向けて回転されるときに省力プライヤのロックを解除するべくロッド形状部材２１の突起２１１を第２のハンドル１４の凹部から押し出すことができる。
【０１０８】
この実施形態の省力プライヤにおいて、第３のハンドルと第２のハンドル１４との間の結合部は、ロッド形状部材２１と第２のハンドル１４との間の結合部２８から離間されるとともに、ロッド形状部材２１と第２のハンドル１４との間の結合部２８よりも第２の作用部１２から離れている。ロッド形状部材２１と第２のハンドルとの間の結合部２８は、第２の仕事部１２と第２のハンドル１４との間の結合部２７から離間される。
【０１０９】
この実施形態の省力プライヤでは、第２の作用部１２が第１の作用部１１から離れたり第１の作用部１１に近づいたりすると、第１の溝１８が第１のシャフト１７に対して第１の作用部１１から離れるように又は第１の作用部１１に近づくように移動されて回転されると同時に、第２のシャフト１９が第２の溝２０内で第１の作用部１１に近づくように又は第１の作用部１１から離れるように移動されて回転され、これは、第１の作用部１１から離れたり第１の作用部１１に近づいたりする仮想シャフト中心周りの第２の作用部１２の回転にほぼ対応する。ここでの仮想シャフト中心は、第１のシャフト１７及び第２のシャフト１９に起因して仮定されて、第１のシャフト１７と第２のシャフト１９との間に位置され、また、第１のシャフト１７が第１の溝１８に対して移動できるとともに、第２のシャフト１９が第２の溝２０に対して移動できるため、仮想シャフト中心も移動できる。仮想シャフト中心がどのように移動されるかにかかわらず、仮想シャフト中心は第２のシャフト１９よりも締め付け開口に近く（一般的に、既存のロックプライヤにおける可動締め付けジョーと固定締め付けジョーとの間の接続シャフトが配置される位置）、それにより、仮想シャフト中心と締め付け開口との間の距離は、既存のロックプライヤと比べて小さい。第１の作用部１１と締め付けられた物品との間の接触点で入力されるトルクが一定であれば、すなわち、締め付け開口の対応するトルクが一定であれば、また、仮想シャフト中心と締め付け開口との間の距離が既存のロックプライヤと比べて小さいため、締め付け開口によってもたらされる締め付け力はより大きく、すなわち、省力化の効果が得られる。
【０１１０】
図８は、第１のハンドル３３、第２のハンドル３４、第１の作用部３１、第２の作用部３２、作用部接続機構３００、ロッド形状部材４１、ストッパ機構、弾性部材４２、及び、調整スクリュー４５を含む手工具、具体的には、ハンドルが大きく開放しすぎないようにするためのウォーターポンププライヤを提供する本発明の他の実施形態を示す。この場合、第１のハンドル３３が第１の作用部３１に接続固定され、また、それらが一体に形成されてもよい。第２のハンドル３４は、第２の作用部３２に回動可能に接続される。この実施形態において、作用部接続機構３００は、前述した２シャフト構成を使用し、すなわち、第１の作用部３１に設けられる第１の穴、第２の作用部３２に設けられる第１の溝３８、及び、第１の穴と第１の溝３８とを貫通して延びる第１のシャフト３７と、第２の作用部３２に設けられる第２の穴、第１の作用部３１に設けられる第２の溝４０、及び、第２の穴と第２の溝４０とを貫通して延びる第２のシャフト３９とを含む。第１のシャフト３７は、第２のシャフト３９よりも、第１の作用部３１と第２の作用部３２とによって形成される締め付け開口に近い。第１のシャフト３７は第１の溝３８内で移動可能及び回転可能であり、また、第２のシャフト３９は、第２の作用部３２を第１の作用部３１に対して回転させて並進させることができるように第２の溝４０内で移動可能及び回転可能である。この場合、第１の溝３７及び第２の溝３９は、円弧溝であってもよく、又は、正方形溝であってもよい。別の実施形態として、作用部接続機構３００は、前述した１シャフト構成（ここでは図示せず）を用いてもよく、すなわち、作用部接続機構３００は、第１の作用部３１に設けられる穴、第２の作用部３２に設けられる溝、及び、第１の作用部３１の穴と第２の作用部３２の溝とを貫通して延びるシャフトを含む。１シャフト構成の場合、溝は、水平溝、傾斜溝、又は、円弧溝であってもよい。
【０１１１】
この実施形態では、第２の作用部３２が第１の位置と第２の位置とを有する。第２の作用部３２は、作用部接続機構３００を介して第１の作用部３１に接続される。作用部接続機構３００は、第２のハンドル３４が第１のハンドル３３から離れた位置から第１のハンドル３３に近づくように移動されるときに、第２の作用部３２を第１の位置から第２の位置へ移動させる。ここで、第２の作用部３２の第１の位置とは、第２の作用部３２が第１の作用部３１から離れて配置される位置のことであり、また、第１の位置と比べて、第２の作用部３２が第２の位置にあるときには、第２の作用部３２が第１の作用部１１に対して回転されて並進される。
【０１１２】
この実施形態において、第１のシャフト３７と第１の穴及び第１の溝３８との間の嵌合隙間は、第２のシャフト３９と第２の穴及び第２の溝４０との間の嵌合隙間よりも小さい。この実施形態の別の実施形態において、第１のシャフト３７と第１の穴及び第１の溝３８との間の嵌合隙間は第２のシャフト３９と第２の穴及び第２の溝４０との間の嵌合隙間に等しくなるように又は該嵌合隙間よりも大きくなるように設定されてもよい。前述したように、２つのシャフトを設けることの１つの作用は、２つのシャフトによって外力を共に支えることであり、これにより、シャフトの磨耗及び省力プライヤの変形が低減され、また、他の作用は、第２のシャフト３９によって締め付け開口のサイズを制限すること、及び、第１のハンドル３３及び第２のハンドル３４が大きくなりすぎないように制限することであり、それにより、ユーザが片手で操作でき、便利である。
【０１１３】
この実施形態のウォーターポンププライヤにおいて、第１のハンドル３３内には第１のハンドル３３の長手方向に延びる凹部が設けられ、この凹部の開口は第２のハンドル３４と対向し、また、第２のハンドル３４内には第２のハンドル３４の長手方向に延びる凹部が設けられ、この凹部の開口は第１のハンドル３３と対向する。ロッド形状部材４１の第１の端部が第２のハンドル３４の凹部内に設けられ、また、ロッド形状部材４１の第１の端部は、第２のハンドル３４に回動可能に接続される。ロッド形状部材４１の第２の端部と調整スクリュー４５とが第１のハンドル３３の凹部内に設けられ、ロッド形状部材４１の第２の端部が調整スクリュー４５に接触する。調整スクリュー４５は、第１のハンドル３３の尾部にネジを介して接続される。調整スクリュー４５の一部分は、第１のハンドル３３の凹部内で延び、また、他の部分は第１のハンドル３３の外側に位置される。調整スクリュー４５は、調整スクリュー４５が第１のハンドル３３に対して移動されるときにロッド形状部材４１の第２の端部を第１のハンドル３３に対して移動させる。
【０１１４】
この実施形態のウォーターポンププライヤでは、第２のハンドルに対するロッド形状部材の変位を止めるためにストッパ機構が用いられる。ストッパ機構は、第２の作用部に設けられる腎臓形状穴４９１と、腎臓形状穴４９１内に設けられるストッパシャフト４９とを含み、また、ロッド形状部材４１は、ストッパシャフト４９を介して第２のハンドル３４に回動可能に接続され、ストッパシャフト４９は腎臓形状穴４９１と協働してストッパ機構を形成する。第１の作用部３１及び第２の作用部３２は、ストッパシャフト４９が腎臓形状穴４９１内で第１のハンドル３３と対向しているときには解放状態にあり、また、第１の作用部３１及び第２の作用部３２は、ストッパシャフト４９が腎臓形状穴４９１内で第１のハンドル３３から離れているときには締め付け状態にある。
【０１１５】
第２のハンドル３４の凹部内には第３のハンドル５０も設けられ、第３のハンドル５０は第２のハンドル３４に接続され、また、第３のハンドル５０はストッパシャフト４９を介してロッド形状部材４１の第１の端部に接続される。第３のハンドル５０と第２のハンドル３４との間の結合部４８は、第２のハンドル３４と第２の作用部３２との間の結合部４７から離間され、また、第３のハンドル５０と第２のハンドル３４との間の結合部４８は、第３のハンドル５０とロッド形状部材４１との間の結合部から離間される。第２のハンドル３４の長さは、第３のハンドル５０の長さよりも大きい。
【０１１６】
第２のハンドル３４の回転中、ロッド形状部材４１と第３のハンドル５０との間の結合部は、第３のハンドル５０と第２のハンドル３４との間の結合部４８と第２のハンドル３４と第２の作用部３２との間の結合部４７とを接続する接続ラインを通り越し、第１の作用部３１及び第２の作用部３２は、第２のハンドル３４が第１のハンドル３３に近づくように移動されて接続ラインを通り越すときに締め付けられ、また、第１の作用部３１及び第２の作用部３２は、第２のハンドル３４が第１のハンドル３３から離れるように移動されて接続ラインを通り越すときに解放される。
【０１１７】
この実施形態のウォーターポンププライヤでは、第２の作用部３２と第１のハンドル３３との間に弾性部材４２が設けられる。具体的には、第２の作用部３２に掛止穴４４が設けられ、第１のハンドル３３内にフック部４３が設けられ、弾性部材４２の一端は掛止穴４４内に拘束され、また、他端は第１のハンドル３３のフック部４３に接続される。弾性部材４２は、バネ、具体的には引張バネである。
【０１１８】
図９は、第１のハンドル５３、第２のハンドル５４、第１の作用部５１、第２の作用部５２、作用部接続機構４００、ロッド形状部材６１、摺動機構６４、ロック機構、及び、調整機構を含む手工具、具体的には自動調整式ウォーターポンププライヤを提供する本発明の更なる実施形態を示す。この場合、第１のハンドル５３が第１の作用部５１に接続固定され、また、それらが一体に形成されてもよい。第２のハンドル５４は、第２の作用部５２に回動可能に接続される。
【０１１９】
この実施形態において、作用部接続機構４００は、前述した２シャフト構成を使用し、すなわち、第１の作用部５１に設けられる第１の穴、第２の作用部５２に設けられる第１の溝５８、及び、第１の穴と第１の溝５８とを貫通して延びる第１のシャフト５７と、第２の作用部５２に設けられる第２の穴、第１の作用部５１に設けられる第２の溝６０、及び、第２の穴と第２の溝６０とを貫通して延びる第２のシャフト５９とを含む。第１のシャフト５７は、第２のシャフト５９よりも、第１の作用部５１と第２の作用部５２とによって形成される締め付け開口に近い。第１のシャフト５７は第１の溝５８内で移動可能及び回転可能であり、また、第２のシャフト５９は、第２の作用部５２を第１の作用部５１に対して回転させて並進させることができるように第２の溝６０内で移動可能及び回転可能である。この場合、第１の溝５８及び第２の溝６０は、円弧溝であってもよく、又は、正方形溝であってもよい。別の実施形態として、作用部接続機構４００は、前述した１シャフト構成（ここでは図示せず）を用いてもよく、すなわち、作用部接続機構４００は、第１の作用部５１に設けられる穴、第２の作用部５２に設けられる溝、及び、第１の作用部５１の穴と第２の作用部５２の溝とを貫通して延びるシャフトを含む。１シャフト構成の場合、溝は、水平溝、傾斜溝、又は、円弧溝であってもよい。
【０１２０】
この実施形態では、第２の作用部５２が第１の位置と第２の位置とを有する。第２の作用部５２は、作用部接続機構４００を介して第１の作用部５１に接続される。作用部接続機構４００は、第２のハンドル５４が第１のハンドル５３から離れた位置から第１のハンドル５３に近づくように移動されるときに、第２の作用部５２を第１の位置から第２の位置へ移動させる。ここで、第２の作用部５２の第１の位置とは、第２の作用部５２が第１の作用部５１から離れて配置される位置のことであり、また、第１の位置と比べて、第２の作用部２が第２の位置にあるときには、第２の作用部５２が第１の作用部５１に対して回転されて並進される。
【０１２１】
この実施形態において、第１のシャフト５７と第１の穴及び第１の溝５８との間の嵌合隙間は、第２のシャフト５９と第２の穴及び第２の溝６０との間の嵌合隙間よりも小さい。この実施形態の別の実施形態において、第１のシャフト５７と第１の穴及び第１の溝５８との間の嵌合隙間は第２のシャフト５９と第２の穴及び第２の溝６０との間の嵌合隙間に等しくなるように又は該嵌合隙間よりも大きくなるように設定されてもよい。前述したように、２つのシャフトを設けることの１つの作用は、２つのシャフトによって外力を共に支えることであり、これにより、シャフトの磨耗及び省力プライヤの変形が低減され、また、他の作用は、第２のシャフト５９によって締め付け開口のサイズを制限することである。
【０１２２】
この実施形態では、摺動機構６４が第１のハンドル５３に摺動可能に装着され、ロッド形状部材６１の一端が第２のハンドルに回動可能に接続され、また、他端が摺動機構に回動可能に装着される。摺動機構６４に接続されるロッド形状部材６１の一端は曲線部によって構成され、また、第１のハンドル５３により近い曲線部の曲率は、第１のハンドル５３から離れた曲線部の曲率よりも大きい。
【０１２３】
ロック機構は、第１のハンドル５３に摺動可能に装着されるとともに、第１のハンドル５３に近いスライド機構６４の遠位端に位置される。ここで、遠位端とは、締め付け開口から離れた端部のことである。ロック機構はガイドロッド６７とロックタブ６８とを含み、ガイドロッド６７は、第１のハンドル５３上に装着されるとともに、ロックタブ６８を貫通して設けられる。ロックタブ６８は複数の部品から構成され、また、ロックタブの複数の部品は互いに取り付けられる。ガイドロッド６７の断面は、丸みを帯びた角を有する不等辺四辺形であり、また、ロックタブ６８は、ガイドロッド６７が通過する開口部を中央に有し、開口部にはガイドロッド６７の断面と同じ形状が与えられ、ガイドロッド６７とロックタブ６８との間には隙間嵌めが存在する。
【０１２４】
この実施形態において、調整機構は、ガイドロッド６７に装着されるとともに、摺動機構とロック機構との間に位置され、また、調整機構は、ガイドロッド６７の長手方向で変位できるように構成される。調整機構がガイドロッド６７の両端に向けて最大変位に達する場合には、この実施形態のウォーターポンププライヤがロックされるときに、摺動機構に接続されるロッド形状部材６１の一端が調整機構に接触されてもよい。
【０１２５】
具体的には、調整機構が調整ボルト６６とキャリア６５とを含み、キャリア６５がガイドロッド６７に装着され、調整ボルト６６は、キャリア６５に装着されるとともに、ガイドロッド６７の方向でキャリア６５に対して変位される。キャリア６５の断面は、ロックタブ６８の断面と同じであるとともに、ロックタブ６８と同じ位置でロックタブ６８の形状と同じ開口部を有し、また、ガイドロッド６７はキャリア６５上の開口部を通過する。
【０１２６】
この実施形態では、第２のハンドル５４内に凹部が設けられ、凹部の開口が第１のハンドル５３と対向し、また、第３のハンドル６９が第２のハンドル５４の凹部内に回動可能に接続される。第３のハンドル６９は長尺な端部を有し、この長尺な端部は、第３のハンドル６９が第２のハンドル５４に対して回動されるときに、第２のハンドル５４と当接して、第３のハンドル６９が第２のハンドル５４に対して回動され続けることを防止できる。また、ロッド形状部材６１は突起５１１を有し、ウォーターポンププライヤは、ロッド形状部材６１の突起５１１が第２のハンドル５４の凹部に入り込むときにロックされ、長尺な端部は、第３のハンドル６９が第２のハンドル５４へ向けて回転されるときにウォーターポンププライヤのロックを解除するべく突起５１１を第２のハンドル５４の凹部から押し出すことができる。
【０１２７】
この実施形態の自動調整式ウォーターポンププライヤは、第２の作用部と第１のハンドルとの間に設けられる弾性部材６２を更に含み、具体的には、第２の作用部５２に掛止孔６４が設けられ、第１のハンドル５３の凹部内にフック部６３が設けられる。弾性部材６２の一端は掛止穴内で拘束され、他端はフック部６３に接続される。この実施形態の弾性部材６２は、バネ、具体的には引張バネである。
【０１２８】
以上、本発明の好ましい特定の実施形態について詳しく説明してきた。発明的な努力を何ら伴うことなく、本発明の概念によって、多くの変更及び変形を当業者によって成すことができるのが分かる。そのため、論理分析、推論、及び、限られた実験によって先行技術に基づき本発明の概念によって当業者により導き出され得る技術的解決策は、特許請求の範囲によって規定される保護範囲内にあるべきである。
【図１】
2018514402.tif 000003
【図２】
2018514402.tif 000004
【図３】
2018514402.tif 000005
【図４】
2018514402.tif 000006
【図５】
2018514402.tif 000007
【図６】
2018514402.tif 000008
【図７】
2018514402.tif 000009
【図８】
2018514402.tif 000010
【図９】
2018514402.tif 000011
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
第１のハンドル、及び、前記第１のハンドルに接続固定される第１の作用部と、
第２のハンドル、及び、前記第２のハンドルに回動可能に接続される第２の作用部であって、第１の位置及び第２の位置を有する第２の作用部と、
作用部接続機構であって、該作用部接続機構によって前記第２の作用部が前記第１の作用部に接続され、前記作用部接続機構は、前記第２のハンドルが前記第１のハンドルから離れた位置から前記第１のハンドルに近づくように移動されるときに前記作用部接続機構が前記第２の作用部を前記第１の位置から前記第２の位置へ移動させるように構成される、作用部接続機構と、
を備え、
前記第１の位置は、前記第２の作用部が前記第１の作用部から離れて配置される位置であり、前記第１の位置と比べて、前記第２の作用部が前記第２の位置にあるときには、前記第２の作用部が前記第１の作用部に対して回転されて並進される、
手工具。
【請求項２】
前記作用部接続機構は、
前記第１の作用部に設けられる穴と、前記第２の作用部に設けられる溝と、前記第１の作用部の前記穴及び前記第２の作用部の前記溝を貫通して延びるシャフトとを備え、前記シャフトは、前記第２の作用部を前記第１の作用部に対して回転させて並進させることができるように前記溝内で移動可能及び回転可能である、
あるいは、前記第２の作用部に設けられる穴と、前記第１の作用部に設けられる溝と、前記第２の作用部の前記穴及び前記第１の作用部の前記溝を貫通して延びるシャフトとを備え、前記シャフトは、前記第２の作用部を前記第１の作用部に対して回転させて並進させることができるように前記溝内で移動可能及び回転可能である、請求項１に記載の手工具。
【請求項３】
前記作用部接続機構は、
前記第１の作用部に設けられる第１の穴、前記第２の作用部に設けられる第１の溝、及び、前記第１の穴及び前記第１の溝を貫通して延びる第１のシャフトと、前記第２の作用部に設けられる第２の穴、前記第１の作用部に設けられる第２の溝、及び、前記第２の穴及び前記第２の溝を貫通して延びる第２のシャフトとを備え、前記第２の作用部を前記第１の作用部に対して回転させて並進させることができるように、前記第１のシャフトが前記第１の溝内で移動可能及び回転可能であるとともに、前記第２のシャフトが前記第２の溝内で移動可能及び回転可能である、
あるいは、前記第２の作用部に設けられる第１の穴、前記第１の作用部に設けられる第１の溝、及び、前記第１の穴及び前記第１の溝を貫通して延びる第１のシャフトと、前記第１の作用部に設けられる第２の穴、前記第２の作用部に設けられる第２の溝、及び、前記第２の穴及び前記第２の溝を貫通して延びる第２のシャフトとを備え、前記第２の作用部を前記第１の作用部に対して回転させて並進させることができるように、前記第１のシャフトが前記第１の溝内で移動可能及び回転可能であるとともに、前記第２のシャフトが前記第２の溝内で移動可能及び回転可能である、請求項１に記載の手工具。
【請求項４】
前記第１のシャフトと前記第１の穴及び前記第１の溝との間の嵌合隙間は、前記第２のシャフトと前記第２の穴及び前記第２の溝との間の嵌合隙間よりも大きい、小さい、又は、該嵌合隙間に等しい請求項３に記載の手工具。
【請求項５】
前記第２のハンドルと前記第１のハンドルとの間に設けられるロッド形状部材をさらに備える、請求項１から４のいずれかに記載の手工具。
【請求項６】
前記手工具は、前記第２の作用部と前記第１のハンドルとの間に設けられる弾性部材を更に備える請求項５に記載の手工具。
【請求項７】
前記手工具が調整スクリューを更に備え、前記調整スクリューは、ネジを介して前記第１のハンドルの尾部に接続される請求項５に記載の手工具。
【請求項８】
前記ロッド形状部材が第１の端部と第２の端部とを有し、前記ロッド形状部材の前記第１の端部が前記第２のハンドルに回動可能に接続され、前記ロッド形状部材の前記第２の端部が前記第１のハンドルに回動可能に接続されて前記調整スクリューに当接し、
前記調整スクリューは、前記調整スクリューが前記第１のハンドルに対して移動されるときに前記ロッド形状部材の前記第２の端部を前記第１のハンドルに対して移動させる請求項７に記載の手工具。
【請求項９】
前記第２のハンドルに凹部が設けられ、前記凹部の開口が前記第１のハンドルと対向し、
第３のハンドルが前記第２のハンドルの前記凹部内に回動可能に接続される請求項５に記載の手工具。
【請求項１０】
前記第３のハンドルが長尺な端部を有し、前記第３のハンドルが前記第２のハンドルに対して回動されるときに、前記長尺な端部は、前記第２のハンドルと当接して、前記第３のハンドルが前記第２のハンドルに対して回動され続けることを防止できる請求項９に記載の手工具。
【請求項１１】
前記ロッド形状部材が突起を有し、前記手工具は、前記突起が前記第２のハンドルの前記凹部に入り込むときにロックされ、前記長尺な端部は、前記第３のハンドルが前記第２のハンドルへ向けて回転されるときに前記手工具のロックを解除するべく前記突起を前記第２のハンドルの前記凹部から押し出すことができる請求項１０に記載の手工具。
【請求項１２】
前記第３のハンドルと前記第２のハンドルとの間の結合部は、前記ロッド形状部材と前記第２のハンドルとの間の結合部から離間されるとともに、前記ロッド形状部材と前記第２のハンドルとの間の結合部よりも前記第２の作用部から離れており、
前記ロッド形状部材と前記第２のハンドルとの間の前記結合部は、前記第２の作用部と前記第２のハンドルとの間の結合部から離間される請求項９に記載の手工具。
【請求項１３】
第１のハンドル、及び、前記第１のハンドルに接続固定される第１の作用部と、
第２のハンドル、及び、前記第２のハンドルに回動可能に接続される第２の作用部であって、第１の位置及び第２の位置を有する第２の作用部と、
作用部接続機構であって、該作用部接続機構によって前記第２の作用部が前記第１の作用部に接続され、前記作用部接続機構は、前記第２のハンドルが前記第１のハンドルから離れた位置から前記第１のハンドルに近づくように移動されるときに前記作用部接続機構が前記第２の作用部を前記第１の位置から前記第２の位置へ移動させるように構成される、作用部接続機構と、
前記第２のハンドルと前記第１のハンドルとの間に設けられるロッド形状部材と、
前記第２のハンドルに対する前記ロッド形状部材の変位を止めるために使用されるストッパ機構と、
を備え、
前記第１の位置は、前記第２の作用部が前記第１の作用部から離れて配置される位置であり、前記第１の位置と比べて、前記第２の作用部が前記第２の位置にあるときには、前記第２の作用部が前記第１の作用部に対して回転されて並進される、
手工具。
【請求項１４】
前記ストッパ機構は、前記第２の作用部に設けられる腎臓形状穴と、前記腎臓形状穴内に設けられるストッパシャフトとを備え、前記ロッド形状部材は、前記ストッパシャフトを介して前記第２のハンドルに回動可能に接続され、前記ストッパシャフトは前記腎臓形状穴と協働して前記ストッパ機構を形成する請求項１３に記載の手工具。
【請求項１５】
第１のハンドル、及び、前記第１のハンドルに接続固定される第１の作用部と、
第２のハンドル、及び、前記第２のハンドルに回動可能に接続される第２の作用部であって、第１の位置及び第２の位置を有する第２の作用部と、
作用部接続機構であって、該作用部接続機構によって前記第２の作用部が前記第１の作用部に接続され、前記作用部接続機構は、前記第２のハンドルが前記第１のハンドルから離れた位置から前記第１のハンドルに近づくように移動されるときに前記作用部接続機構が前記第２の作用部を前記第１の位置から前記第２の位置へ移動させるように構成される、作用部接続機構と、
前記第１のハンドルに摺動可能に装着される摺動機構と、
ロッド形状部材であって、該ロッド形状部材の一端が前記第２のハンドルに回動可能に接続され、他端が前記摺動機構に回動可能に装着される、ロッド形状部材と、
を備え、
前記第１の位置は、前記第２の作用部が前記第１の作用部から離れて配置される位置であり、前記第１の位置と比べて、前記第２の作用部が前記第２の位置にあるときには、前記第２の作用部が前記第１の作用部に対して回転されて並進される、
手工具。
【請求項１６】
前記摺動機構に接続される前記ロッド形状部材の一端は曲線部によって構成され、前記第１のハンドルにより近い前記曲線部の曲率は、前記第１のハンドルから離れた前記曲線部の曲率よりも大きい請求項１５に記載の手工具。
【請求項１７】
前記手工具は、前記第１のハンドルに摺動可能に装着されて前記第１のハンドルに近い前記摺動機構の遠位端に位置されるロック機構を更に備える請求項１５に記載の手工具。
【請求項１８】
前記ロック機構がガイドロッドとロックタブとを備え、前記ガイドロッドは、前記第１のハンドルに装着されるとともに、前記ロックタブを貫通して設けられる請求項１７に記載の手工具。
【請求項１９】
前記調整機構は、
前記ガイドロッドに装着されるとともに、前記摺動機構と前記ロック機構との間に位置され、前記調整機構は、前記ガイドロッドの長手方向で変位できるように構成される、
あるいは、該調整機構が前記ガイドロッドの両端に向けて最大変位に達する際には前記手工具がロックされるときに前記摺動機構に接続される前記ロッド形状部材の一端が前記調整機構と接触できるように構成される、請求項１５に記載の手工具。
【請求項２０】
前記調整機構が調整ボルトとキャリアとを備え、前記キャリアが前記ガイドロッドに装着され、前記調整ボルトは、前記キャリアに装着されるとともに、前記ガイドロッドの方向で前記キャリアに対して変位可能である請求項１９に記載の手工具。
【国際調査報告】
2018514402.tif 000012
2018514402.tif 000013
2018514402.tif 000014
2018514402.tif 000015
2018514402.tif 000016
2018514402.tif 000017